(57)【要約】【課題】吊り引き戸が連結された無端ベルトのテンションを調節する際、その無端ベルトが架け渡された一対のプーリの間隔を手早く変化させることができるようにする。【解決手段】吊り引き戸の開閉装置を、一方のプーリ１０ａを支持するテーブル２１と、テーブル２１のねじ孔２２ａ、２２ｂに通された送りねじ２３を支持する固定体２５と、固定体２５に設けられ、下側から回転操作される回動軸２７と、回動軸２７と送りねじ２３との間に設けられ、回動軸２７の回転運動を送りねじ２３の回転運動に変換するように設けた歯車２６と交差軸歯車２７ｂとからなる運動変換機構とを備え、テーブル２１の移動により一方のプーリ１０ａが他方のプーリ１０ｂに対し遠近移動するようにした。【選択図】図１
2007191923.tif 000002
【特許請求の範囲】
【請求項１】
吊り引き戸が連結される無端ベルトと、上記吊り引き戸よりも上方に取り付けられ、上記無端ベルトが架け渡される一対のプーリとを備え、上記無端ベルトのテンションが上記一対のプーリの間隔で調節される吊り引き戸の開閉装置において、上記一対のプーリの一方を支持するテーブルと、上記テーブルのねじ孔に通された送りねじを支持する固定体と、上記固定体に設けられ、下側から回転操作される回動軸と、上記回動軸と上記送りねじとの間に設けられ、上記回動軸の回転運動を上記送りねじの回転運動に変換する運動変換機構とを備え、上記テーブルの移動により上記一方のプーリが他方のプーリに対し遠近移動することを特徴とする吊り引き戸の開閉装置。
【発明の詳細な説明】
【技術分野】
【０００１】
この発明は、建物側に固定されたハンガーレールに吊り車などを介して吊り下げられる吊り引き戸の開閉装置に関する。
【背景技術】
【０００２】
一般に、この種の吊り引き戸の開閉装置では、壁に形成された開口内周の上端部に沿ってハンガーレールが設けられる。このハンガーレールを走行する吊り車に吊り引き戸の上端部が連結される。
【０００３】
また、上記吊り引き戸よりも上方に一対のプーリが取り付けられ、この一対のプーリには、無端ベルトが架け渡される。無端ベルトには、例えば、引き分け戸を構成する一対の吊り引き戸がブラケットなどを介して連結される。この連結は、一対の吊り引き戸の開閉が同調する位置関係になっている（例えば、特許文献１）。
【０００４】
また、片引き戸や引き分け戸に構成された吊り引き戸を自動開閉式にする場合には、吊り引き戸をベルト駆動するため、無端ベルト、一対のプーリには歯付きのものが採用され、一対のプーリが駆動プーリと従動プーリから構成されることも広く行われている。
【０００５】
上記のような吊り引き戸の開閉装置においては、無端ベルトが各プーリに対して滑りや歯飛びが生じないように無端ベルトのテンションが適切に調節される。これは、上記の滑り等により吊り引き戸の閉閉位置に狂いが生じる結果、引き分け戸の場合には、一対の吊り引き戸の閉じ合い位置がずれ、片引き戸の場合には、戸枠とぴったりと閉じ合わない等の問題が生じるからである。
【０００６】
このため、吊り引き戸がハンガーレールに吊り下げられ、無端ベルトに吊り引き戸が連結された状態で、無端ベルトのテンションが調節される。
【０００７】
従来のテンション調節機構としては、上記一対のプーリを構成する一方のプーリを支持するテーブルをハンガーレールに対してスライド可能に設け、テーブルとハンガーレールに裏当てされる板ナットとをねじで締め付けることにより、ハンガーレールにテーブルを固定するようにした簡単な構造のものがあった。
【０００８】
上記のようなテンション調節機構では、ねじを緩め、手でテーブルを移動させて一対のプーリの間隔を調節し、その位置に押さえた状態でねじを締めてテーブルの位置を決める間隔調節工程と、その後に無端ベルトのテンションを測定するテンション測定工程とを行うことになる。
【０００９】
【特許文献１】特開２００２−７０４２４号公報
【発明の開示】
【発明が解決しようとする課題】
【００１０】
しかしながら、無端ベルトのテンションを一度の調節で指定値に合わせるのは経験者でも難しく、テーブルの移動位置を幾度か修正することが多い。このため、上記のテンション調節機構では、テーブルの移動位置を修正する都度に上記の間隔調節工程を行う必要があるため、調節完了までに手間を要する問題があった。特に、作業者は吊り引き戸よりも上方に取り付けられたテーブルの移動やねじ固定を強いられるため、無端ベルトのテンション調節に手間を要すると、作業者の負担が大きくなり、好ましくない。
【００１１】
そこで、この発明の課題は、吊り引き戸が連結された無端ベルトのテンションを調節する際、その無端ベルトが架け渡された一対のプーリの間隔を手早く調節することができるようにすることにある。
【課題を解決するための手段】
【００１２】
上記の課題を解決するこの発明は、吊り引き戸が連結される無端ベルトと、上記吊り引き戸よりも上方に取り付けられ、上記無端ベルトが架け渡される一対のプーリとを備え、上記一対のプーリの間隔で上記無端ベルトのテンションが調節される吊り引き戸の開閉装置において、上記一対のプーリの一方を支持するテーブルと、上記テーブルのねじ孔に通された送りねじを支持する固定体と、上記固定体に設けられ、下側から回転操作される回動軸と、上記回動軸と上記送りねじとの間に設けられ、上記回動軸の回転運動を上記送りねじの回転運動に変換する運動変換機構とを備え、上記テーブルの移動により上記一方のプーリが他方のプーリに対し遠近移動することを特徴とするものである。
【発明の効果】
【００１３】
上記構成によれば、上記回動軸がその下側から回転操作されると、上記回動軸の回転方向と回転量に応じて上記運動変換機構により上記送りねじが回転させられ、これに伴って上記テーブルが上記送りねじの回転方向と回転量に応じて移動させられる結果、上記一方のプーリが他方のプーリに対し遠近移動させられる。このため、作業者は、上記回動軸の回転操作のみで上記一対のプーリの間隔を遠近いずれの側にも連続的に調節することができ、上記回動軸の回転操作を止めると、上記送りねじが停止して上記一対のプーリの間隔を決めることができる。
したがって、この発明は、吊り引き戸が連結された無端ベルトのテンションを調節する際、その無端ベルトが架け渡された一対のプーリの間隔を手早く調節することができる。
【発明を実施するための最良の形態】
【００１４】
以下、この発明の実施形態に係る吊り引き戸の開閉装置を添付図面に基づいて説明する。
図１、図２に示すように、この実施形態に係る吊り引き戸の開閉装置は、左右一対で引き分け戸を構成する吊り引き戸１ａ、１ｂの開閉装置とされており、戸枠Ｗの上端辺に沿って固定されたハンガーレール２と、吊り引き戸１ａ、１ｂと連結され、ハンガーレール２の内部を走行するように組み込まれた複数の吊り車３と、吊り引き戸１ａ、１ｂの開閉動を同調させるタイミング装置４とを備えている。
【００１５】
具体的には、ハンガーレール２は、図３（ａ）に示すように、戸枠Ｗの上端辺に沿う天板部と、天板部の前後両側端に連設された一対の側板部と、一対の側板部の下端に連設された内向きフランジ部とを有しており、吊り車３がその内向きフランジ部上を走行するようになっている。
【００１６】
吊り車３と各吊り引き戸１ａ、１ｂの上端との間には、これらを連結する吊りボルト装置５が設けられており、引き戸１ａ、１ｂの吊り下げ高さを調節することができるようになっている。なお、各吊り引き戸１ａ、１ｂには、吊り車３が２台ずつ連結されている。
【００１７】
図１、図２に示すように、ハンガーレール２の内部には、吊り引き戸１ａ、１ｂが開成位置に達すると吊り車３を制止するストッパ６が戸枠Ｗの縦壁から距離を空けて設けられている。
【００１８】
上記タイミング装置４は、ストッパ６と戸枠Ｗの縦壁との間に位置し、ハンガーレール２よりも下方、かつ上記吊り引き戸１ａ、１ｂよりも上方に位置する左右一対のプーリ１０ａ、１０ｂと、この左右一対のプーリ１０ａ、１０ｂに架け渡された無端ベルト１１とからなる。左右一対のプーリ１０ａ、１０ｂおよび無端ベルト１１は、歯付きのものであり、いわゆるタイミングプーリ、タイミングベルトが用いられている。
【００１９】
無端ベルト１１には、各吊り引き戸１ａ、１ｂが連結されている。各吊り引き戸１ａ、１ｂの連結位置は、互いの開閉動が同調し、また、閉成位置では戸枠Ｗの左右方向中心上で閉じ合うと共に、開成位置では戸枠Ｗの縦壁と接触しないように定められている。
【００２０】
図３（ｂ）に一方の吊り引き戸１ａ側の連結構造を例示するように、吊り引き戸１ａは、無端ベルト１１を挟む一対の取付ブラケット１２ａ、１２ｂを介したねじ結合により連結されている。
【００２１】
図１、図４に示すように、上記タイミング装置４は、左右一対のプーリ１０ａ、１０ｂのうち、一方のプーリ１０ａを回動自在に支持させた軸部２０を有するテーブル２１と、テーブル２１のねじ孔２２ａ、２２ｂに通された送りねじ２３と、ハンガーレール２の天板部に取り付けられ、送りねじ２３を回動自在に支持する一対の下垂板２４ａ、２４ｂを有する固定体２５とを備えている。なお、この実施形態では、固定体２５の座板部がハンガーレール２の天板部に対しねじ結合されている。
【００２２】
送りねじ２３は、左右方向に向いており、ハンガーレール２の内向きフランジ部間から外部に露出している。送りねじ２３の他端側外周部には、周方向にギヤが配列された歯車２６が取り付けられている。この実施形態では、歯車２６が送りねじ２３に螺着されている。歯車２６と下垂板２４ｂとの間には、送りねじ２３に通された波形ワッシャ２６ａが位置しており、この波形ワッシャ２６ａにより歯車２６の緩み止めがなされている。
【００２３】
固定体２５のうち、送りねじ２３の他端延長上に位置するところには、送りねじ２３と交差する軸線をもつように回動軸２７が設けられている。
【００２４】
回動軸２７の頭部２７ａには、プラス形頭部を有する軸回し具（図示省略）との係合部が形成されている。
【００２５】
また、回動軸２７の中間部外周には、上記送りねじ２３の歯車２６と噛合う交差軸歯車２７ｂが設けられている。この実施形態では、上記交差軸歯車２７ｂが、回動軸２７に螺着されており、回動軸２７の頭部２７ａとハンガーレール２の天板部とで上下に位置決めされて歯車２６との交差噛合いが外れないようになっている。
【００２６】
回動軸２７は、固定体２５をハンガーレール２に取り付ける前に、波形ワッシャ２７ｃを頭部２７ａまで通し、その上端部を固定体２５の孔部に挿し込んでかしめることにより固定体２５の座板部に対し抜け止めされている。このため、頭部２７ａと固定体２５の座板部との間に位置する波形ワッシャ２７ｃにより、回動軸２７に螺着された交差軸歯車２７ｂの緩み止めがなされている。
【００２７】
上記歯車２６と上記交差軸歯車２７ｂとにより、回動軸２７の回転運動を上記送りねじ２３の回転運動に変換する運動変換機構が構成されている。
【００２８】
なお、この実施形態では、上記歯車２６と上記交差軸歯車２７ｂとを支障なく交差噛合い状態にすることができるように、上記固定体２５のうち、上記一対の下垂板２４ａ、２４ｂの部分が一体に設けられると共に、この部分がハンガーレール２の天板部に固定される座板部に対しねじ止め可能となっている。
【００２９】
上記一方のプーリ１０ａと対をなす他方のプーリ１０ｂは、図２に示すように、ハンガーレール２の天板部に取り付けられ、他方のプーリ１０ｂを回動自在に支持させた軸部３０を有するテーブル３１を介してハンガーレール２に支持されている。
【００３０】
この実施形態に係る吊り引き戸の開閉装置は、上記の構成からなり、戸枠Ｗに装着された後、室内や戸口の景観を損ねないように図示省略のサイドカバーで前後両側が隠蔽される。
【００３１】
そして、図２のように各吊り下げ戸１ａ、１ｂを無端ベルト１１に連結した状態で、無端ベルト１１のテンション調節を行う場合、上記回動軸２７の頭部２７ａに、その下側から係合させた軸回し具を係合させて回動軸２７をいずれか一方向に回転させると、回動軸２７の交差軸歯車２７ｂと噛合う上記歯車２６が回転力を受けて上記送りねじ２３が対応する方向に回転させられ、これに伴って上記テーブル２１が左右いずれかの対応方向に移動させられる結果、一方のプーリ１０ａが他方のプーリ１０ｂに対し遠近いずれかの対応方向側に移動させられる。
【００３２】
したがって、この実施形態によれば、作業者は、上記一対のプーリ１０ａ、１０ｂの間隔を遠近いずれの側にも連続的に調節することができ、また、上記回動軸２７の回転操作を止めると、上記送りねじ２３が停止して上記一対のプーリ１０ａ、１０ｂの間隔を決めることができる。その結果、作業者は、無端ベルト１１のテンション調節を効率よく容易に行うことができる。
【００３３】
なお、この実施形態では、上記運動変換機構として交差軸歯車機構を採用したが、他の歯車機構を採用することができる。
【００３４】
また、この実施形態では、他方のプーリ１０ｂを移動側に構成することができる。
【００３５】
また、この実施形態では、固定側となる他方のプーリ１０ｂを駆動プーリとすれば、自動式の引き分け戸を構成することができる。
【００３６】
また、この実施形態では、上記テーブル２１や固定体２５をハンガーレール２の一端開口から内部に収めるように構成されているが、これらを直接戸枠Ｗに取り付けるように構成することも可能である。
【図面の簡単な説明】
【００３７】
【図１】実施形態に係る吊り引き戸の開閉装置を示す要部拡大縦断面図
【図２】図１の吊り引き戸の開閉装置の全体構成を示す縦断面図
【図３】（ａ）図１のＩＩＩａ−ＩＩＩａ線の拡大断面図、（ｂ）図１のＩＩＩｂ−ＩＩＩｂ線の拡大断面図
【図４】（ａ）図１のタイミング装置を構成する一方のプーリを示す拡大縦断面図、（ｂ）（ａ）のＶＩｂ−ＶＩｂ線の断面図
【符号の説明】
【００３８】
１ａ、１ｂ  吊り分け戸
１０ａ、１０ｂ  プーリ
１１  無端ベルト
２１  テーブル
２２ａ、２２ｂ  ねじ孔
２３  送りねじ
２５  固定体
２６  歯車
２７  回動軸
２７ｂ  交差軸歯車
【図１】
2007191923.tif 000003
【図２】
2007191923.tif 000004
【図３】
2007191923.tif 000005
【図４】
2007191923.tif 000006